(57)【要約】【課題】蚊や蛾等の虫がエレベータのかご室内に侵入してかご室が汚れたりかご室内の乗客が不快感を受けたりすることを抑制することができ、かご室内を清潔に保つことができるエレベータかごを提供する。【解決手段】エレベータかごは、かご本体と、このかご本体の内面に設けられた、防虫加工されたシート（２２、２４、２６）と、を備えている。【選択図】図２
2008303015.tif 000002
【特許請求の範囲】
【請求項１】
かご本体と、
前記かご本体の内面に設けられた、防虫加工されたシートと、
を備えたことを特徴とするエレベータかご。
【請求項２】
前記防虫加工されたシートは前記かご本体の内面における側面に設けられていることを特徴とする請求項１記載のエレベータかご。
【請求項３】
前記防虫加工されたシートには磁石が設けられており、磁力により当該シートが前記かご本体の内面に着脱自在に取り付けられていることを特徴とする請求項１または２記載のエレベータかご。
【発明の詳細な説明】
【技術分野】
【０００１】
本発明は、エレベータかごに関し、とりわけかご室内に蚊や蛾等の虫が侵入しにくくすることができ、かご室内を清潔に保つことができるエレベータかごに関する。
【背景技術】
【０００２】
従来より、蚊や蛾等の虫がエレベータのかご室内に侵入してかご室が汚れたりかご室内の乗客が不快感を受けたりするという問題があった。
【０００３】
ここで、エレベータかごの照明装置に蚊や蛾等の虫が付着することを防止する方法としては、例えば特許文献１に示されるものが知られている。
【０００４】
【特許文献１】特開平８−１４３２４８号公報
【発明の開示】
【発明が解決しようとする課題】
【０００５】
しかしながら、今日では、エレベータかごの照明装置に虫が付着することのみならず、エレベータのかご室内に虫が侵入すること自体を防止することが求められている。
【０００６】
本発明は、このような点を考慮してなされたものであり、蚊や蛾等の虫がエレベータのかご室内に侵入してかご室が汚れたりかご室内の乗客が不快感を受けたりすることを抑制することができ、かご室内を清潔に保つことができるエレベータかごを提供することを目的とする。
【課題を解決するための手段】
【０００７】
本発明のエレベータかごは、かご本体と、前記かご本体の内面に設けられた、防虫加工されたシートと、を備えたことを特徴とする。このようなエレベータかごによれば、かご本体の内面に、防虫加工されたシートが設けられているので、蚊や蛾等の虫がエレベータのかご室内に侵入してかご室が汚れたりかご室内の乗客、特に虫の苦手な乗客が不快感を受けたりすることを抑制することができる。このため、かご室内を清潔に保つことができる。
【０００８】
ここで、前記防虫加工されたシートは前記かご本体の内面における側面に設けられていることが好ましい。
【０００９】
本発明のエレベータかごにおいては、前記防虫加工されたシートには磁石が設けられており、磁力により当該シートが前記かご本体の内面に着脱自在に取り付けられていることが好ましい。このように、防虫加工されたシートに磁石が取り付けられていることにより、かご本体の内面に対するシートの着脱を容易に行うことができるようになる。
【発明の効果】
【００１０】
本発明のエレベータかごによれば、蚊や蛾等の虫がエレベータのかご室内に侵入してかご室が汚れたりかご室内の乗客が不快感を受けたりすることを抑制することができ、かご室内を清潔に保つことができる。
【発明を実施するための最良の形態】
【００１１】
以下、本発明の一の実施の形態について、図面を参照して説明する。図１は、本実施の形態におけるエレベータかごの内面の構成を示す説明図であり、図２は、図１に示すエレベータかごの内面に設けられた保護マットの構成を示す側面図であり、図３は、図２に示す保護マットの背面図である。
【００１２】
図１に示すように、エレベータかご１０は略直方体形状の筺体からなり、その内面は後面パネル１２、左側面パネル１４、右側面パネル１６、天井面１８および床面２０から構成されている。天井面１８には、照明装置（図示せず）を保護するための照明用アクリルカバー２８が設けられている。
【００１３】
後面パネル１２、左側面パネル１４および右側面パネル１６には、それぞれ後面保護マット２２、左側面保護マット２４および右側面保護マット２６が設けられている。図２および図３に示すように、各後面保護マット２２、左側面保護マット２４および右側面保護マット２６は、例えばウールやポリエステル素材の布からなるシート本体部分３０と、このシート本体部分３０の裏面に設けられた磁石部分３２とから構成されている。磁石部分３２は、図３に示すように、シート本体部分３０の裏面に対してストライプ状（縦縞模様状）に設けられている。この磁石部分３２は、後面パネル１２、左側面パネル１４あるいは右側面パネル１６に対して磁力により接着可能となっている。
【００１４】
図２において、後面保護マット２２、左側面保護マット２４および右側面保護マット２６におけるシート本体部分３０の表面３０ａ側は防虫加工されている。より具体的には、シート本体部分３０の表面３０ａ側には、例えば蚊や蛾等の虫の触角を刺激することによりこれらの虫が近寄らないような防虫剤が塗布されている。
【００１５】
このように、本実施の形態によるエレベータかご１０によれば、かご本体の内面に、防虫加工された後面保護マット２２、左側面保護マット２４および右側面保護マット２６が設けられているので、蚊や蛾等の虫がエレベータのかご室内に侵入してかご室が汚れたりかご室内の乗客、特に虫の苦手な乗客が不快感を受けたりすることを抑制することができる。このため、かご室内を清潔に保つことができる。
【００１６】
また、防虫加工された後面保護マット２２、左側面保護マット２４および右側面保護マット２６にそれぞれ磁石部分３２が設けられていることにより、かご本体の内面に対するシートの着脱を容易に行うことができるようになる。
すなわち、後面保護マット２２、左側面保護マット２４および右側面保護マット２６の防虫性能が弱くなれば、これらの保護マットを交換する必要があるが、磁力により後面保護マット２２、左側面保護マット２４および右側面保護マット２６がかご本体の内面に着脱自在に取り付けられているので、この交換作業を容易に行うことができるようになる。
【００１７】
なお、本発明によるエレベータかごは、上記の態様に限定されるものではなく、様々の変更を加えることができる。例えば、かご室の側面パネル用の保護マット以外に、床面２０、照明用アクリルカバー２８あるいは天井面１８にも防虫加工された製品を使用してもよい。
【図面の簡単な説明】
【００１８】
【図１】本発明の一の実施の形態におけるエレベータかごの内面の構成を示す説明図である。
【図２】図１に示すエレベータかごの内面に設けられた保護マットの構成を示す側面図である。
【図３】図２に示す保護マットの背面図である。
【符号の説明】
【００１９】
１０    エレベータかご
１２    後面パネル
１４    左側面パネル
１６    右側面パネル
１８    天井面
２０    床面
２２    後面保護マット
２４    左側面保護マット
２６    右側面保護マット
２８    照明用アクリルカバー
３０    シート本体部分
３０ａ  表面
３２    磁石部分
【図１】
2008303015.tif 000003
【図２】
2008303015.tif 000004
【図３】
2008303015.tif 000005